(57)【要約】【課題】Ｆ‐Ｓ特性を理想的な特性である矩形状の特性に近づけることができる車両の衝撃吸収部材を得る。【解決手段】正面視で８の字形状に形成されたフランジ部３０付きのクラッシュボックス１０の中リブ２３の後端部（断面拘束力の強い部分）に切欠部３８を形成した。これにより、軸圧縮後半での荷重耐力を低減させ、潰れ残りを無くすことができる。その結果、Ｆ‐Ｓ特性を理想的な矩形状の特性に近づけることができる。【選択図】        図１
2006347265.tif 000002
【特許請求の範囲】
【請求項１】
衝突荷重が入力される荷重入力部と衝突荷重が伝達される荷重伝達部との間に介在されて軸方向に圧縮変形することにより衝突時のエネルギーを吸収する車両の衝撃吸収部材であって、
前記衝撃吸収部材は、衝突荷重の入力時に軸方向に圧縮変形する本体部と、当該本体部に一体的に設けられると共に荷重伝達部への取付用に供されるフランジ部と、を含む車体骨格部材として構成されており、
前記本体部において軸圧縮後半に変形する断面拘束力の強いフランジ部近傍の断面を部分的に脆弱化した、
ことを特徴とする車両の衝撃吸収部材。
【請求項２】
前記衝撃吸収部材の本体部は鍛造成形により形成されている、
ことを特徴とする請求項１記載の車両の衝撃吸収部材。
【発明の詳細な説明】
【技術分野】
【０００１】
本発明は、衝突荷重が入力される荷重入力部と衝突荷重が伝達される荷重伝達部との間に介在されて軸方向に圧縮変形することにより衝突時のエネルギーを吸収する車両の衝撃吸収部材に関する。
【背景技術】
【０００２】
従来から、フロントサイドメンバの前端部とフロントバンパリインフォースメントとの間に衝撃吸収部材としてのクラッシュボックスを設定することが行われている。
【０００３】
この種のクラッシュボックスは、筒状のクラッシュボックス本体部と、クラッシュボックス本体部の後端部に固定されてボディーへの取付部とされるボディー側取付ブラケットと、クラッシュボックス本体部の前端部に固定されてフロントバンパリインフォースメントへの取付部とされるバンパリインフォースメント側取付ブラケットの三部品によって構成されていることが多い。
【０００４】
しかし、クラッシュボックスを三部品で構成すると、部品点数が多くなり、組付工数も増えることから、前後どちらかの取付ブラケットをクラッシュボックス本体部に一体形成することも行われている。更に部品点数を削減するべく、鋼板を深絞り成形することによりクラッシュボックスを一部品で構成したものもある（下記特許文献１、２参照）。
【０００５】
これらの特許文献に開示された構造について簡単に説明すると、このクラッシュボックスでは、鋼板の深絞り成形によって全体が断面ハット形状に形成されている。閉止端となるクラッシュボックスの底部（前端部）にはウエルドナットが予め固着されており、ボルト締結によりフロントバンパリインフォースメントに固定されるようになっている。また、開放端となるクラッシュボックスの後端部にはフランジ部が一体に形成されており、かかるフランジ部がフロントサイドメンバの前端部にボルト締結により固定されるようになっている。
【０００６】
さらに、上記クラッシュボックスでは、クラッシュボックス本体部とフランジ部との間に折り返し部が設定されており、かかる折り返し部をクラッシュボックスの前端部内へ嵌合させて取付状態とし、前面衝突時にはクラッシュボックス本体部の後端部が順次折り返し部の一部とされながら、フロントサイドメンバの前端部の内方へ押し込まれるようになっている。
【特許文献１】特開２００３−３１２４００号公報
【特許文献２】特開２００３−３１２４０１号公報
【発明の開示】
【発明が解決しようとする課題】
【０００７】
しかしながら、上記のようなフランジ付き軸圧縮部材では、フランジ部近傍になるほど軸圧縮部材の断面の拘束力が増大する。このため、仮に軸圧縮部材の縦断面形状が長手方向の全域で同一であったとしても、圧縮部位がフランジ部近傍となる圧縮後半では耐力が増大してしまう。その結果、Ｆ‐Ｓ特性が理想である矩形特性（即ち、圧縮全域において耐力が一定である特性）にならず、圧縮後半で荷重が増大するという問題がある。
【０００８】
また、軸圧縮後半の軸圧縮部材耐力が増大することにより、軸圧縮後半の耐力が軸圧縮部材の後端側にあるボディー耐力を上回ってしまい、潰れ残りが発生する。その結果、軸圧縮部材のエネルギー吸収効率が低下するという問題がある。
【０００９】
本発明は上記事実を考慮し、Ｆ‐Ｓ特性を理想的な特性である矩形状の特性に近づけることができる車両の衝撃吸収部材を得ることが目的である。
【課題を解決するための手段】
【００１０】
請求項１記載の本発明に係る車両の衝撃吸収部材は、衝突荷重が入力される荷重入力部と衝突荷重が伝達される荷重伝達部との間に介在されて軸方向に圧縮変形することにより衝突時のエネルギーを吸収する車両の衝撃吸収部材であって、前記衝撃吸収部材は、衝突荷重の入力時に軸方向に圧縮変形する本体部と、当該本体部に一体的に設けられると共に荷重伝達部への取付用に供されるフランジ部と、を含む車体骨格部材として構成されており、前記本体部において軸圧縮後半に変形する断面拘束力の強いフランジ部近傍の断面を部分的に脆弱化した、ことを特徴としている。
【００１１】
請求項２記載の本発明に係る車両の衝撃吸収部材は、請求項１記載の発明において、前記衝撃吸収部材の本体部は鍛造成形により形成されている、ことを特徴としている。
【００１２】
請求項１記載の本発明によれば、衝突時になると、衝突荷重は荷重入力部に入力される。入力された衝突荷重は、衝撃吸収部材を介して荷重伝達部へ伝達される。この際に、衝撃吸収部材の本体部が軸方向に圧縮されて変形することにより、衝突時のエネルギーが吸収される。
【００１３】
ここで、本発明では、衝撃吸収部材の本体部に荷重伝達部への取付用に供されるフランジ部が一体的に設けられているため、本体部において軸圧縮後半に変形するフランジ部に近い部分ほど断面拘束力が強くなる。従って、本体部におけるフランジ部近傍の部位が潰れ難くなるが、本発明では、本体部における断面拘束力が強くなる部位を部分的に脆弱化させたので、軸圧縮後半での耐力を適度に低下させ、潰れ残りを低減する（潰れ率を向上させる）ことができる。
【００１４】
請求項２記載の本発明によれば、衝撃吸収部材の本体部は鍛造成形によって形成されているため、材料投入量を減らしたり、プレス能力を意図的に低下させる等することにより、脆弱部を成形の過程で同時に作ることができる。つまり、脆弱部を設定する後加工が不要となるため、生産性が向上される。
【００１５】
また、材料投入量を減らしたり、プレス能力を下げることができるという利点は、衝撃吸収部材を鍛造成形で製作し易くなるという生産上の利点をもたらすことにもなる。
【発明の効果】
【００１６】
以上説明したように、請求項１記載の車両の衝撃吸収部材は、衝突荷重の入力時に軸方向に圧縮変形する本体部と、当該本体部に一体的に設けられると共に荷重伝達部への取付用に供されるフランジ部と、を含む車体骨格部材として構成されており、本体部において軸圧縮後半に変形する断面拘束力の強いフランジ部近傍の断面を部分的に脆弱化したので、軸圧縮後半での耐力を適度に低下させて潰れ残りを低減する（潰れ率を向上させる）ことができ、その結果、Ｆ‐Ｓ特性を理想的な特性である矩形状の特性に近づけることができるという優れた効果を有する。
【００１７】
請求項２記載の本発明に係る車両の衝撃吸収部材は、請求項１記載の発明において、衝撃吸収部材の本体部を鍛造成形によって形成したので、脆弱部を成形の過程で同時に作ることができ、その結果、生産性の向上及び歩留まりの向上を図ることができるという優れた効果を有する。
【発明を実施するための最良の形態】
【００１８】
以下、図１〜図６を用いて、本発明に係る車両の衝撃吸収部材の一実施形態について説明する。なお、これらの図において適宜示される矢印ＦＲは車両前方側を示しており、矢印ＵＰは車両上方側を示しており、矢印ＩＮは車両幅方向内側を示しており、矢印ＯＵＴは車両幅方向外側を示している。
【００１９】
図６には、本実施形態に係る衝撃吸収部材としてのクラッシュボックス１０が採用された車体前部の平面図が示されている。この図に示されるように、車体の前端部には、平面視で略コ字状に形成された荷重入力部としての長尺状のフロントバンパリインフォースメント１２が車両幅方向を長手方向して配置されている。このフロントバンパリインフォースメント１２は高強度部材であり、その前面側には図示しないフロントバンパカバーが取り付けられている。
【００２０】
一方、前輪１４が配置されるフロントホイールハウス１６の内側には、長尺状に形成された荷重伝達部としての高強度のフロントサイドメンバ１８が車両前後方向を長手方向として配置されている。フロントサイドメンバ１８の後端部は、フロントクロスメンバ２０の前面に結合されている。また、フロントサイドメンバ１８の前端部は、フロントバンパリインフォースメント１２に対して所定距離だけ車両後方側へ離間した位置（オフセットした位置）に配置されている。そして、フロントサイドメンバ１８の前端部とフロントバンパリインフォースメント１２の後端面との間に、長尺状のクラッシュボックス１０が介在されている。なお、クラッシュボックス１０は、フロントサイドメンバ１８に対して車両前後方向に連続的に配置されている。
【００２１】
図１には、上記クラッシュボックス１０の全体斜視図が示されている。また、図２〜図５には当該クラッシュボックス１０の適宜断面図が示されている。
【００２２】
これらの図に示されるように、本実施形態のクラッシュボックス１０は、上下二個の上側筒状部２２及び下側筒状部２４が軸直角方向（車両上下方向）に並列的に配置された筒状部の複合体として構成されている。図２及び図３に示されるように、上側筒状部２２及び下側筒状部２４は各々正八角形に形成されており、底壁と頂壁を共有することで全体としては高いエネルギー吸収性能を発揮する略８の字形状に形成されている。
【００２３】
また、上側筒状部２２の左右の上部壁２２Ａ及び側部壁２２Ｃ並びに下側筒状部２４の左右の下部壁２４Ａ及び側部壁２４Ｃには、圧縮座屈起点を特定するためのビード（脆弱部）２６が所定の間隔で形成されている。なお、上部壁２２Ａに形成されたビード２６と側部壁２２Ｃに形成されたビード２６とは互い違いに配置されている。同様に、下部壁２４Ｃに形成されたビード２６と側部壁２４Ｃに形成されたビード２６とは互い違いに配置されている。
【００２４】
上記クラッシュボックス１０の軸方向の一端部（前端部）は閉止されており、フロントバンパリインフォースメント１２へ結合される底部２８とされている。なお、底部２８の先端面（前端面）は、フロントバンパリインフォースメント１２の湾曲形状に合わせて所定角度の傾斜面とされている（図５参照）。一方、クラッシュボックス１０の軸方向の他端部（後端部）は開放されており、フロントサイドメンバ１８の前端部へ結合される矩形平板状のフランジ部３０が周囲に一体に形成されている。フランジ部３０の四隅には、ボルト挿通孔３２が形成されている。なお、フランジ部３０の板厚は、フロントサイドメンバ１８の前端部への結合剛性を確保するべく、上側筒状部２２及び下側筒状部２４の板厚よりも厚く設定されている。
【００２５】
上述したクラッシュボックス１０の底部２８は、略８の字形状に形成された縦長の厚肉部２８Ａと、この厚肉部２８Ａの高さ方向中間部の左右両側を抉るように形成された一対の薄肉部２８Ｂと、によって構成されている。
【００２６】
薄肉部２８Ｂは、上側筒状部２２の下部壁２２Ｂと、下側筒状部２４の上部壁２４Ｂと、上側筒状部２２及び下側筒状部２４の中リブ（共有壁）２３の三枚の壁が交差する部分を包囲した範囲に設定されている。一方、厚肉部２８Ａは、クラッシュボックス１０の８の字状の外形形状から左右一対の薄肉部２８Ｂを除いた範囲に設定されている。厚肉部２８Ａと薄肉部２８Ｂとの間には段差３４が形成されており、この段差３４の高さは衝突初期のピーク荷重が発生するストロークに対応する所定高さ（数ミリ程度）に設定されている。
【００２７】
さらに、厚肉部２８Ａの上下四箇所（上側筒状部２２の中間両サイド二箇所と下側筒状部２４の中間両サイド二箇所）には、フロントバンパリインフォースメント１２への取付部である取付孔３６が形成されている。取付孔３６の内周面には雌ねじが形成されており、フロントバンパリインフォースメント１２側から図示しないボルトが螺合されるようになっている。なお、クラッシュボックス１０のフロントバンパリインフォースメント１２側への締結方向及びフロントサイドメンバ１８の前端部側への締結方向は、いずれも車両前後方向とされている。
【００２８】
ここで、図１及び図３〜図５に示されるように、上述したクラッシュボックス１０の上側筒状部２２と下側筒状部２４とを隔成する中リブ２３のフランジ部３０の近傍（中リブ２３の後端部）には、平面視で矩形状の脆弱部としての切欠部３８が形成されている。この切欠部３８が形成されたことにより、本体部である上側筒状部２２及び下側筒状部２４のフランジ部３０の近傍部位が脆弱化されている。
【００２９】
さらに、上記構成のクラッシュボックス１０は一部品によって構成されており、アルミニウム合金を鍛造成形することにより製作されている。概略的には、クラッシュボックス１０は、前方押出し工法と後方押出し工法の二工程を活用した（組み合わせた）アルミニウム合金の鍛造によって製造されている。
【００３０】
（作用・効果）
次に、本実施形態の作用並びに効果について説明する。
【００３１】
本実施形態に係るクラッシュボックス１０は、フロントバンパリインフォースメント１２とフロントサイドメンバ１８の前端部との間に組付けられる。そして、この車両が正面衝突すると、その際の衝突荷重はフロントバンパリインフォースメント１２に入力される。入力された衝突荷重は、クラッシュボックス１０を介してフロントサイドメンバ１８へ伝達される。この際、クラッシュボックス１０の上側筒状部２２及び下側筒状部２４が軸方向に圧縮されて各ビード２６を起点として蛇腹状に順次変形（圧壊）することにより、所定のエネルギー吸収がなされる。
【００３２】
ここで、本実施形態に係るクラッシュボックス１０では、上側筒状部２２及び下側筒状部２４の後端部に矩形平板状のフランジ部３０を一体形成し、かかるフランジ部３０を荷重伝達部であるフロントサイドメンバ２０の前端部に取り付けたので、上側筒状部２２及び下側筒状部２４において軸圧縮後半に変形するフランジ部３０に近い部分ほど断面拘束力が強くなる。従って、上側筒状部２２及び下側筒状部２４におけるフランジ部３０の近傍の部位が潰れ難くなるが、本実施形態に係るクラッシュボックス１０では、上側筒状部２２及び下側筒状部２４における断面拘束力が強くなる中リブ２３の後端部に切欠部３８を設けたので、軸圧縮後半での耐力を適度に低下させ、潰れ残りを低減する（潰れ率を向上させる）ことができる。その結果、本実施形態によれば、軸圧縮後半でのエネルギー吸収量が増加し、Ｆ‐Ｓ特性を理想的な特性である矩形状の特性に近づけることができる。
【００３３】
また、本実施形態では、クラッシュボックス１０を鍛造成形によって形成したので、材料投入量を減らしたり、プレス能力を意図的に低下させる等することにより、切欠部３８を成形の過程で同時に作ることができる。つまり、切欠部３８を設定する後加工が不要となるため、生産性が向上される。さらに、材料投入量を減らしたり、プレス能力を下げることができるという利点は、クラッシュボックス１０を鍛造成形で製作し易くなるという生産上の利点をもたらすことにもなる。その結果、本実施形態によれば、生産性の向上及び歩留まりの向上を図ることができる。
【００３４】
〔実施形態の補足説明〕
なお、上述した本実施形態では、車両の衝撃吸収部材としてクラッシュボックス１０を例にして説明したが、これに限らず、衝突時に軸圧縮荷重を受けて荷重入力側の端部から順次圧縮塑性変形していき、軸圧縮後半での断面拘束力が強くなる車体骨格部材（軸圧縮部材）であればすべて適用可能である。例えば、クラッシュボックスを設定せずに、フロントサイドメンバの前端部を直接軸圧縮塑性変形させる場合に本発明を適用してもよい。
【００３５】
また、上述した本実施形態では、脆弱部として切欠部３８を設定したが、これに限らず、軸圧縮後半での荷重増加を抑制することができる構成であればよく、例えば、薄肉部を設定する構成を採ってもよい。
【００３６】
さらに、上述した本実施形態では、中リブ２３の後端部に切欠部３８を設定したが、断面拘束力を増大させる要素にはアーク溶接やスポット溶接等による溶接部もあるので、かかる溶接部が軸圧縮後半に相当する位置に設定されている場合には、溶接部近傍に切欠部３８等の脆弱部を設定すると同様の効果が得られる。
【００３７】
また、上述した本実施形態では、アルミニウム合金の鍛造成形によってクラッシュボックス１０を製作したが、これに限らず、押し出し成形によってクラッシュボックスを製作してもよい。この場合、切欠部（脆弱部）の設定は、後工程として切削加工によりなされる。
【００３８】
さらに、上述した本実施形態では、クラッシュボックス１０の材質をアルミニウム合金材としたが、これに限らず、鉄、カーボン、樹脂、グラスファイバ等、種々の材料を適用することが可能である。
【００３９】
また、上述した本実施形態では、クラッシュボックス１０の本体部を軸圧壊性能が優れる上側筒状部２２及び下側筒状部２４から成る略８の字状に形成したが、これに限らず、「日」の字状等に形成してもよい。また、筒状部も二本に限らず、三本以上でもよい。
【図面の簡単な説明】
【００４０】
【図１】本実施形態に係るクラッシュボックスを単体で示す斜視図である。
【図２】図１に示されるクラッシュボックスの縦断面構造（車両幅方向に切断した状態）を示す図１の２−２線断面図である。
【図３】図１に示されるクラッシュボックスの縦断面構造（車両幅方向に切断した状態）を示す図１の３−３線断面図である。
【図４】図１に示されるクラッシュボックスの縦断面構造（車両前後方向に切断した状態）を示す図１の４−４線断面図である。
【図５】図１に示されるクラッシュボックスの横断面構造を示す図１の５−５線断面図である。
【図６】本実施形態に係るクラッシュボックスが採用された車体前部の構造を示す平面図である。
【符号の説明】
【００４１】
１０      クラッシュボックス（衝撃吸収部材）
１２      フロントバンパリインフォースメント（荷重入力部）
１８      フロントサイドメンバ（荷重伝達部）
２２      上側筒状部（本体部）
２３      中リブ
２４      下側筒状部（本体部）
３０      フランジ部
３８      切欠部（脆弱部）
【図１】
2006347265.tif 000003
【図２】
2006347265.tif 000004
【図３】
2006347265.tif 000005
【図４】
2006347265.tif 000006
【図５】
2006347265.tif 000007
【図６】
2006347265.tif 000008